(57)【要約】【課題】本発明の目的は、次の顧客位置を考慮して最適状態で停車させることができ次の顧客への配送を円滑に行える配送車両停車案内表示装置を提供することにある。【解決手段】情報管理サーバ１は営業地域全体の地図データ、顧客位置データおよび配送車両停車位置データを含み管理する。操作コンピュータ３は営業地域を分割した拠点地域毎に配置されて情報管理サーバ１にネットワーク２を介して接続される。操作コンピュータ３は顧客位置と停車位置をアイコン表示した地図を作成する。配送車両に搭載された車載演算装置は操作コンピュータ３から送信される地図を表示する。操作コンピュータ３は、配送車両の停車位置に停車向きを設定して車載演算装置に表示させる。【選択図】図１
2008027100.tif 000002
【特許請求の範囲】
【請求項１】
営業地域全体の地図データ、顧客位置データおよび配送車両停車位置データを含み管理する情報管理サーバと、前記営業地域を分割した拠点地域毎に配置されて前記情報管理サーバにネットワークを介して接続され、顧客位置と停車位置をアイコン表示する地図を作成する操作コンピュータと、前記操作コンピュータから送信される地図を表示する前記配送車両に搭載された車載演算装置とを具備し、前記操作コンピュータは、前記配送車両の停車位置に停車向きを設定して前記車載演算装置に表示させるようにしたことを特徴とする配送車両停車案内表示装置。
【発明の詳細な説明】
【技術分野】
【０００１】
本発明は、複数の顧客に荷物を配送する配送車両に搭載されている車載装置に停車位置を案内表示する配送車両停車案内表示装置に関する。
【背景技術】
【０００２】
宅配配送システムにおいては、配送先の顧客位置に停車スペースが無い場合に顧客位置の近隣にある停車スペースに車両を停車させ、顧客に商品を届けている。また、安全上の理由により、車両のＵターンや無理な切り返しをしてはいけないことになっている。このため、運転手は次の顧客の位置に向かうために最も適した停車位置を覚えるようにしている。
【０００３】
従来、地図に車両位置と顧客位置を表示するには、タクシーの配車の例であるが、車両位置と顧客位置をそれぞれ１つのアイコンとして表示するようにしている。このことは、例えば、下記の特許文献１に記載されている。
【０００４】
【特許文献１】特開２００３−３３１３９４号公報
【発明の開示】
【発明が解決しようとする課題】
【０００５】
従来技術は車両位置と顧客位置をアイコンで表示しており、停車スペースを停車位置としてアイコン表示することが考えられる。営業地域を熟知している運転手は顧客位置によって次の顧客位置を考慮しながら最適となる停車位置に円滑に停車することができる。
【０００６】
ところが、担当運転手の休みによる代行運転手や担当変更による新人運転手の未熟練運転手は、画面で停車位置を確認できるので停車させることはできるが、次の顧客位置を考慮して最適状態で停車させることができないという問題点を有する。このため、Ｕターン禁止、一方通行などの交通規制のために次の顧客に配送するのに無駄な道を遠回りしたりして配送時間を守れなくなる。
【０００７】
本発明の目的は、次の顧客位置を考慮して最適状態で停車させることができ次の顧客への配送を円滑に行える配送車両停車案内表示装置を提供することにある。
【課題を解決するための手段】
【０００８】
本発明の特徴とするところは、車載演算装置に顧客位置と停車位置をアイコン表示すると共に停車位置に車両の停車向きを表示するようにしたことにある。
【発明の効果】
【０００９】
本発明は、車載演算装置に顧客位置と停車位置をアイコン表示すると共に停車位置に車両の停車向きを表示するようにしているので、次の顧客位置を考慮して最適状態で停車させることができ次の顧客への配送を円滑に行うことができる。
【発明を実施するための最良の形態】
【００１０】
本部に設置される情報管理サーバは営業地域全体の地図データ、顧客位置データおよび配送車両停車位置データを含み管理する。操作コンピュータは営業地域を分割した拠点地域毎に配置されて情報管理サーバにネットワークを介して接続される。操作コンピュータは顧客位置と停車位置をアイコン表示した地図を作成する。配送車両に搭載された車載演算装置は操作コンピュータから送信される地図を表示する。操作コンピュータは、配送車両の停車位置に停車向きを設定して車載演算装置に表示させる。
【実施例】
【００１１】
以下、本発明の実施形態について図面を参照して説明する。
【００１２】
図１は本発明の実施例における情報管理サーバ１、ＬＡＮ２、操作コンピュータ３の構成図である。情報管理サーバ１は営業地域全体を管轄する本部に設置され、操作コンピュータ３は営業地域を分割した拠点地域毎にｎ台配置されて、情報管理サーバ１にネットワークを介して接続される。
【００１３】
ｎ台の操作コンピュータ３は、ＬＡＮ２で情報管理サーバ１にネットワーク接続されている。情報管理サーバ１には、演算処理を実行する演算装置１０、キーボードＫＢやマウスなどの入力装置１１、処理結果や地図を表示する表示装置１２、ＣＤ−ＲＯＭドライブ装置３１やＦＤドライブ装置３２が補助記憶装置３０として搭載される。演算装置１０には通信プログラム１６０が格納されており、操作コンピュータ３から命令されたデータをルータなどの通信装置６を経由して通信管理サーバ５の通信プログラム１６３へ送信する。
【００１４】
記憶装置２０に格納される各種データには、広域地図２８、詳細地図２９から構成される電子地図データ２１や、顧客位置２３などの顧客情報を格納する管理顧客データ２２、配送に関する情報を格納する配送情報データ２４がある。配送情報データ２４は、車両（トラック）を停車させる位置を格納する停車位置２５、トラックの停車向き２６、更にコメントや配送時間といった付加情報２７から構成される。
【００１５】
操作コンピュータ３は情報管理サーバ１と同様の構成で、情報管理サーバ１とのデータ送受信のために通信プログラム１６１を格納する演算装置４０、入力装置４１、表示装置４２、記憶装置４３、補助記憶装置４４から構成される。
【００１６】
図２は、通信管理サーバ５、通信装置６、電話通信網１５０を使用して、トラックに搭載した車載表示装置１５１へ地図や管理顧客位置２３、トラックの停車位置２５、停車向き２６を表示するための構成を示している。
【００１７】
通信管理サーバ５には、演算装置９０、入力装置９１、表示装置９２、記憶装置９３、補助記憶装置９４が搭載される。情報管理サーバ１からのデータは、通信プログラム１６３にて受信し、ＬＡＮ２から通信装置６を経由した後、更に電話通信網１５０を経由し、トラックに搭載された携帯電話１５３を通じて、車載演算装置１５２にて処理された後、車載表示装置１５１に表示される。
【００１８】
図３は、操作コンピュータ３における演算装置４０に搭載される各種プログラム構成を示している。
【００１９】
地図表示を主な機能とする電子地図表示プログラム５０は、広域地図２８を使用して、広域な縮尺で地図表示を可能とする広域地図表示部５１、家や建物の枠線といった細かな情報まで格納されている詳細地図２９を表示する詳細地図表示部５２から構成される。
【００２０】
管理情報表示プログラム６０は、管理顧客の情報を地図上に重畳してアイコン表示する管理顧客表示部６１、配送場所の位置をアイコン表示する配送場所表示部６２、配送時間やコメントといった付加情報を表示する付加情報表示部６３から構成される。
【００２１】
管理情報を検索する管理情報検索プログラム７０は、管理情報検索部７１で表示するための管理情報を検索したり、配送場所検索部７２で配送する場所を任意に検索することが可能である。
【００２２】
実際の管理顧客位置２３やトラックの停車位置２５、停車向き２６、付加情報２７を登録する画面を備えた管理情報登録プログラム８０では、管理顧客登録部８１、配送場所登録部８２、付加情報登録部８３の処理が実行される。演算装置４０には、担当運転手にトラックの停車位置と停車向きを指示するために、通信プログラム１６１が搭載される。
【００２３】
図４はトラックに搭載される車載演算装置１５２の構成を示したものである。搭載されるプログラムには、広域地図２８を表示する広域地図表示部５１、詳細地図２９を表示する詳細地図表示部５２の機能を格納する電子地図表示プログラム５０、顧客位置２３を表示する管理顧客表示部６１、停車位置２５や停車向き２６を表示する配送場所表示部６２、コメントなどの付加情報を表示する付加情報表示部６３の各機能から構成される管理情報表示プログラム６０がある。通信プログラム１６２では、通信管理サーバ５の通信プログラム１６３とデータ送受信を行う。
【００２４】
図５は管理情報登録プログラム８０の配送場所登録部８２における画面表示例を示している。
【００２５】
図５において、トラック停車情報登録画面１００では、トラックの停車位置２５を表示装置４２に表示した地図上で、入力装置４１であるマウスをクリックすることにより位置を登録する。トラック停車向き設定ボタン１０１にて、上、下、左、右、左上、左下、右上、右下の８方向を決定する。現在設定しているトラックの停車向き２６は、トラック停車向き表示エリア１０２に五角形の頂点をトラックの前方として表示している。尚トラックの停車向き２６に関しては、トラック停車向き設定スライドボタン１０４をマウスを使って、トラック停車向き設定スライド１０３を任意の目盛位置に動かすことでも設定ができる。
【００２６】
トラックの停車位置２５と停車向き２６を設定した後、登録ボタン１０５によって、情報管理サーバ１の停車位置２５、停車向き２６が登録または更新される。詳細は後述する図９で説明するが、この際、次の管理顧客位置に向かうために最適なトラックの停車向きを計算し、遠回りするようなトラックの停車向きを設定した場合には、自動的にガイダンスを表示し、効率の良い停車向きの候補を地図上に表示する。トラック停車情報登録画面１００を消去する場合は、閉じるボタン１０６により消去する。
【００２７】
図６は付加情報登録画面１１０の一例を示す。配送する順番を入力する配送順入力エリア１１７、配送する時刻を設定する配送時間設定エリア１１１、引継ぎ情報をキーボードから文字入力するコメント入力エリア１１２、管理顧客を地図上に表示する場合のアイコンの種別を選択するアイコン選択リスト１１３が配置されている。図７に示すようにアイコン選択リスト１１３をマウスにてクリックすると、アイコン表示エリア１１６が表示され、地図上に表示するアイコンを選択することができる。
【００２８】
これらの付加情報２７を設定した後、登録ボタン１１４により情報管理サーバ１の付加情報２７が登録または更新される。付加情報登録画面１１０を消去する場合は、閉じるボタン１１５により消去する。
【００２９】
操作コンピュータ３の表示装置４２に顧客位置２３、停車位置２５、停車向き２６、付加情報２７を表示すると、図８に示すようなレイアウトとなる。
【００３０】
管理顧客アイコン１２０は、配送する順番が中央に数字で表示される。アイコンは、トラック停車情報登録画面１００のアイコン選択リスト１１３にて選択されたアイコン種別が表示され、その下部の実線が管理顧客位置指示線１２１を示している。
【００３１】
この管理顧客位置指示線１２１の最下端が顧客位置２３となり、その位置から点線で停車場所指示線１２４が描画され、その先端にトラックの停車位置２５を示すトラックアイコン１２５が表示される。トラックアイコン１２５は、五角形で表現されており、その頂点がトラックの前方となり、停車する向きをこれで表現している。
【００３２】
更に、配送時間表示ラベル１２２、コメント表示ラベル１２３を管理顧客アイコン１２０の右部に配置し、配送場所への配送時刻、ドライバーへの引継ぎ情報を地図上に表示している。次の配送に向かう指示を、経路線１２６、その向きを表す次配順方向１２７により自動的に道に沿って表示し、的確に配送することに役立てられる。
【００３３】
図９、図１０は、図５において手動で設定するトラックアイコン１２５の停車向き現方向２００をチェックして、次に向かう顧客に対して効率的な向きを自動的に算出する例を示している。
【００３４】
トラックアイコン１２５の位置から現在の停車位置を算出し（ステップＳ１０）、次に向かう停車位置を算出した後（ステップＳ１１）、トラックアイコン１２５の位置と次に向かうトラックの停車位置を次に向かう方向を９０°として直線で結ぶ。この直線をＹ軸２０２とする（ステップＳ１２）。
【００３５】
トラックアイコン１２５の位置からＹ軸２０２と時計回りに９０°直角に交わる直線Ｘ軸２０１を結ぶ（ステップＳ１３）。トラックアイコン１２５の向きを現方向２００として（ステップＳ１４）、８方向線２０３の８つの方向と角度を比較し（ステップＳ１５）、現方向２００が０°〜１７９°（１８０°未満）の場合は、そのまま現方向２００をトラックの停車向き２６とする（ステップＳ１６）。
【００３６】
１８０°〜３５９°（３６０°未満）の場合は、最も近い方向をトラックの停車向き２６を算出した後（ステップＳ１７）、自動的に算出された向きを停車向き２６にセットするガイダンスを表示する（ステップＳ１８）。これらの処理で設定したトラックの停車向き２６を情報管理サーバ１に登録する（ステップＳ１９）。
【００３７】
これにより次の顧客に配送する際に遠回りするような向きを避け、効率的な停車向きを自動的に設定できる。この効率的な停車向きの設定により、遠回りするような無駄な道を通行しなくても良くなるので、トラックから排出されるＣＯ２の削減や使用する燃料を低減できる。
【００３８】
図１１、図１２は、広域地図表示１３０、詳細地図表示１４０の一例を示している。
【００３９】
広域地図表示１３０の場合には、管理顧客位置指示線１２１や停車場所指示線１２４、トラックアイコン１２５、配送時間表示ラベル１２２、コメント表示ラベル１２３を表示せず、単純にトラック停車情報登録画面１００のアイコン選択リスト１１３で選択されたアイコンのみを広域地図アイコン１３１のように表示する。これは広域の縮尺で地図表示する際に、数多くの顧客位置２３、停車位置２５が存在する密集エリアにおいても見易くし、認識し易くするためである。
【００４０】
詳細地図表示１４０の場合は、管理顧客位置指示線１２１や停車場所指示線１２４、トラックアイコン１２５、配送時間表示ラベル１２２、コメント表示ラベル１２３を表示する詳細地図アイコン１４１を表示する。更に経路線１２６、次配順方向１２７を表示することにより、担当運転手へ情報を的確に伝えることに役立てられる。
【００４１】
このようにして車載演算装置に停車案内を表示するのであるが、本発明は車載演算装置に顧客位置と停車位置をアイコン表示すると共に停車位置に車両の停車向きを表示するようにしているので、次の顧客位置を考慮して最適状態で停車させることができ次の顧客への配送を円滑に行うことができる。
【００４２】
また、上述の実施例は簡易な画面操作によって性車両の顧客位置、停車位置、停車向きを設定できるので、コンピュータに関する知識が無くても簡単に操作することができる。
【図面の簡単な説明】
【００４３】
【図１】本発明の一実施例を示す構成図である。
【図２】本発明の一実施例を示す構成図である。
【図３】本発明の操作コンピュータにおける演算装置の一例詳細構成図である。
【図４】本発明の車載演算装置の一例詳細構成図である。
【図５】本発明のトラック停車情報登録画面の一例構成図である。
【図６】本発明の付加情報登録画面の一例構成図である。
【図７】本発明のアイコン選択リストの説明図である。
【図８】本発明の説明図である。
【図９】本発明の停車向き算出の説明図である。
【図１０】本発明の停車向き算出のフロー図である。
【図１１】本発明の広域地図表示の一例図である。
【図１２】本発明の詳細地図表示の一例図である。
【符号の説明】
【００４４】
１  情報管理サーバ
２  ＬＡＮ
３  操作コンピュータ
４  操作コンピュータｎ
５  通信管理サーバ
６  通信装置
１０  演算装置（情報管理サーバ）
１１  入力装置（情報管理サーバ）
１２  表示装置（情報管理サーバ）
２０  記憶装置（情報管理サーバ）
２１  電子地図データ
２２  管理顧客データ
２３  顧客位置
２４  配送情報データ
２５  停車位置
２６  停車向き
２７  付加情報
２８  広域地図
２９  詳細地図
３０  補助記憶装置（情報管理サーバ）
３１  ＣＤ−ＲＯＭドライブ装置
３２  ＦＤドライブ装置
４０  演算装置（操作コンピュータ）
４１  入力装置（操作コンピュータ）
４２  表示装置（操作コンピュータ）
４３  記憶装置（操作コンピュータ）
４４  補助記憶装置（操作コンピュータ）
５０  電子地図表示プログラム
５１  広域地図表示部
５２  詳細地図表示部
６０  管理情報表示プログラム
６１  管理顧客表示部
６２  配送場所表示部
６３  付加情報表示部
７０  管理情報検索プログラム
７１  管理顧客検索部
７２  配送場所検索部
８０  管理情報登録プログラム
８１  管理顧客登録部
８２  配送場所登録部
８３  付加情報登録部
１００  トラック停車情報登録画面
１０１  トラック停車向き設定ボタン
１０２  トラック停車向き表示エリア
１０３  トラック停車向き設定スライド
１０４  トラック停車向き設定スライドボタン
１０５  登録ボタン
１０６  閉じるボタン
１１０  付加情報登録画面
１１１  配送時間設定エリア
１１２  コメント入力エリア
１１３  アイコン選択リスト
１１４  登録ボタン
１１５  閉じるボタン
１１６  アイコン表示エリア
１１７  配送順入力エリア
１２０  管理顧客アイコン
１２１  管理顧客位置指示線
１２２  配送時間表示ラベル
１２３  コメント表示ラベル
１２４  停車場所指示線
１２５  トラックアイコン
１２６  経路線
１２７  次配順方向
１３０  広域地図表示
１３１  広域地図アイコン
１４０  詳細地図表示
１４１  詳細地図アイコン
１５０  電話通信網
１５１  車載表示装置
１５２  車載演算装置
１５３  携帯電話
１６０  通信プログラム（情報管理サーバ）
１６１  通信プログラム（操作コンピュータ）
１６２  通信プログラム（車載演算装置）
１６３  通信プログラム（通信管理サーバ）
２００  現方向
２０１  Ｘ軸
２０２  Ｙ軸
２０３  ８方向線
Ｓ１０  現在の停車位置算出
Ｓ１１  次の停車位置算出
Ｓ１２  Ｙ軸の算出
Ｓ１３  Ｘ軸の算出
Ｓ１４  現方向の算出
Ｓ１５  現方向の判定
Ｓ１６  現方向を停車向きにセット
Ｓ１７  効率的な方向の算出
Ｓ１８  効率的な方向を停車向きにセット
Ｓ１９  情報管理サーバへ登録
【図１】
2008027100.tif 000003
【図２】
2008027100.tif 000004
【図３】
2008027100.tif 000005
【図４】
2008027100.tif 000006
【図５】
2008027100.tif 000007
【図６】
2008027100.tif 000008
【図７】
2008027100.tif 000009
【図８】
2008027100.tif 000010
【図９】
2008027100.tif 000011
【図１０】
2008027100.tif 000012
【図１１】
2008027100.tif 000013
【図１２】
2008027100.tif 000014